(57)【要約】【課題】構造が簡単でありかつ頭部床部材が伏臥動作する際の安全性の高い起床式電動ベッドを提供する。【解決手段】ベッドフレーム基台と、前記ベッドフレーム基台に取り付けられたモータと、前記モータの端部に取り付けられ、モータの駆動によって伸縮自在に構成された伸縮シリンダ部材と、前記伸縮シリンダ部材に長孔が設けられ、前記長孔内に一端が回動可能かつ摺動可能に取り付けられたアーム部材と、前記ベッドフレーム基台に載置され、前記アーム部材の他端が裏面に取り付けられた頭部床部材と、前記頭部床部材と当接並置して前記ベッドフレーム基台に載置された足部床部材と、一端が前記伸縮シリンダ部材に取り付けられ、他端が前記頭部床部材に接続され、前記頭部床部材を起伏可能に牽引するためのワイヤー部材と、を含むようにした。【選択図】図４
0003142758.tif 000002
【実用新案登録請求の範囲】
【請求項１】
ベッドフレーム基台と、
前記ベッドフレーム基台に取り付けられたモータと、
前記モータの端部に取り付けられ、モータの駆動によって伸縮自在に構成された伸縮シリンダ部材と、
前記伸縮シリンダ部材に長孔が設けられ、前記長孔内に一端が回動可能かつ摺動可能に取り付けられたアーム部材と、
前記ベッドフレーム基台に載置され、前記アーム部材の他端が裏面に取り付けられた頭部床部材と、
前記頭部床部材と当接並置して前記ベッドフレーム基台に載置された足部床部材と、
一端が前記伸縮シリンダ部材に取り付けられ、他端が前記頭部床部材に接続され、前記頭部床部材を起伏可能に牽引するためのワイヤー部材と、
を含み、
前記伸縮シリンダ部材がモータの駆動により縮退されると前記ワイヤー部材が前記頭部床部材を牽引して起立状態にせしめ、前記伸縮シリンダ部材がモータの駆動により伸長されると前記頭部床部材を伏臥状態とするように構成され、
前記頭部床部材が伏臥動作を行う際に前記頭部床部材と前記ベッドフレーム基台との間に異物が挟まった場合、前記アーム部材の一端が前記伸縮シリンダ部材の長孔内を摺動することで前記伏臥動作による荷重を軽減させるようにしたことを特徴とする起床式電動ベッド。
【請求項２】
前記ベッドフレーム基台が折畳み可能とされていることを特徴とする請求項１記載の起床式電動ベッド。
【考案の詳細な説明】
【技術分野】
【０００１】
本考案は、頭部床部材と足部床部材とに分割され、頭部床部材が起伏自在に構成された起床式電動ベッドに関し、特に、前記頭部床部材を伏臥動作せしめる際の安全性に配慮した新規な起床式電動ベッドに関する。
【背景技術】
【０００２】
従来、頭部床部材と足部床部材とに分割し、頭部床部材が起伏自在に構成された起床式電動ベッドは、病院、施設や家庭などで広く知られている。このような起床式電動ベッドとしては、例えば、特許文献１に挙げたような構造のものが知られている。
【０００３】
特許文献１に記載された電動式簡易折畳みベッドは、モータの駆動により可動ロッドを引くとき、中央のワイヤーは、脚部シートを上傾させるように下部押上部材を変位し、また回転アームは少なくとも当該回転アームの上部が背部シートを押上げるように傾動するようになり、一方、モータの駆動により可動ロッドを突出するとき、背部シートと脚部シートが水平状態に復帰するように中央のワイヤーは弛緩し、さらに可動ロッドを突出させるとき、動軸がスロットの後端に移動し、左右のワイヤーがばねに抗して左右一対のキャスタ付きスタンドを起立し、腰部シートを隆起させるようにされている（特許文献１、要約書）。
【０００４】
このような起床式電動ベッドでは、モータの駆動により頭部床部材が伏臥動作する際に、頭部床部材とベッドフレームとの間に手や足などが挟まった場合でもそのまま伏臥動作を続けてしまうおそれがあった。
【０００５】
図６に従来の起床式電動ベッドの頭部床部材の伏臥動作の概略説明図を示す。図６において、符号１１０は従来の起床式電動ベッドを示す。起床式電動ベッド１１０は、ベッドフレーム基台１１２と、前記ベッドフレーム基台１１２に取り付けられたモータ１１４と、前記モータ１１４の端部に取り付けられた伸縮シリンダ部材１１６と、前記伸縮シリンダ部材１１６に一端が回動可能に取り付けられたアーム部材１２０と、前記ベッドフレーム基台１１２に載置され、前記アーム部材１２０の他端が裏面に取り付けられた頭部床部材１２２と、前記頭部床部材１２２と当接並置して前記ベッドフレーム基台１１２に載置された足部床部材１２４と、一端が前記伸縮シリンダ部材１１６に取り付けられ、他端が前記足部床部材１２４を介して前記頭部床部材１２２に接続され、前記頭部床部材１２２を起伏可能に牽引するためのワイヤー部材１２６と、から構成されている。
【０００６】
ここで、前記伸縮シリンダ部材１１６は、前記モータ１１４の端部に取り付けられた固定シリンダ部材１２８と、前記固定シリンダ部材１２８にスライド自在に挿入されたスライドシリンダ部材１３０とから構成されている。そして、前記スライドシリンダ部材１３０の先端にワイヤー部材１２６が取り付けられている。
【０００７】
前記アーム部材１２０には、係合ピン１３２が取り付けられており、前記係合ピン３２が前記スライドシリンダ部材１３０に回動自在に取り付けられることで、前記アーム部材１２０が前記スライドシリンダ部材１３０に一端が回動可能に取り付けられている。
【０００８】
従来の起床式電動ベッドの頭部床部材の伏臥動作を図６（ａ）〜（ｄ）に示す。図６の（ａ）は頭部床部材１２２が最も起きた状態、（ｂ）は伏臥動作にある頭部床部材１２２が（ａ）の状態よりも下降した状態、（ｃ）は伏臥動作にある頭部床部材１２２が（ｂ）の状態よりも下降した状態、（ｄ）は頭部床部材１２２が伏臥した状態である。
【０００９】
このような従来の起床式電動ベッドでは、前記頭部床部材１２２が伏臥動作を行う際に前記頭部床部材１２２と前記ベッドフレーム基台１１２との間に何も異物が挟まっていない通常状態では問題ないが、前記頭部床部材１２２が伏臥動作を行う際に前記頭部床部材１２２と前記ベッドフレーム基台１１２との間に人間の手や足などの異物が挟まった場合、頭部床部材１２２の重量に加えて伏臥動作に伴う荷重が前記異物にかかってしまっていた。
【００１０】
また、例えば、特許文献２に示されるように、電動リニアアクチュエータに安全機構を設ける等して、起床式電動ベッドの頭部床部材が伏臥動作する際の安全性を確保する手段もあるが、起床式電動ベッドの構造を複雑にすると誤動作の原因となったり、ベッドの重量が重くなったりして持ち運びに不便となるといった問題もある。
【００１１】
そこで、本考案者らが鋭意研究を重ねた結果、起床式電動ベッドの構造を複雑にすることなしに、かつ頭部床部材が伏臥動作する際の安全性の高い起床式電動ベッドを開発するに至った。
【特許文献１】実登３０６４１４７
【特許文献２】実開昭６３−１９８３９５
【考案の開示】
【考案が解決しようとする課題】
【００１２】
本考案は、上記した従来技術の問題点に鑑みなされたもので、構造が簡単でありかつ頭部床部材が伏臥動作する際の安全性の高い起床式電動ベッドを提供することを目的とする。
【課題を解決するための手段】
【００１３】
上記課題を解決するために、本考案に係る起床式電動ベッドは、ベッドフレーム基台と、前記ベッドフレーム基台に取り付けられたモータと、前記モータの端部に取り付けられ、モータの駆動によって伸縮自在に構成された伸縮シリンダ部材と、前記伸縮シリンダ部材に長孔が設けられ、前記長孔内に一端が回動可能かつ摺動可能に取り付けられたアーム部材と、前記ベッドフレーム基台に載置され、前記アーム部材の他端が裏面に取り付けられた頭部床部材と、前記頭部床部材と当接並置して前記ベッドフレーム基台に載置された足部床部材と、一端が前記伸縮シリンダ部材に取り付けられ、他端が前記頭部床部材に接続され、前記頭部床部材を起伏可能に牽引するためのワイヤー部材と、を含み、前記伸縮シリンダ部材がモータの駆動により縮退されると前記ワイヤー部材が前記頭部床部材を牽引して起立状態にせしめ、前記伸縮シリンダ部材がモータの駆動により伸長されると前記頭部床部材を伏臥状態とするように構成され、前記頭部床部材が伏臥動作を行う際に前記頭部床部材と前記ベッドフレーム基台との間に異物が挟まった場合、前記アーム部材の一端が前記伸縮シリンダ部材の長孔内を摺動することで前記伏臥動作による荷重を軽減させるようにしたことを特徴とする。
【００１４】
従来の起床式電動ベッドでは、前記頭部床部材が伏臥動作を行う際に前記頭部床部材と前記ベッドフレーム基台との間に人間の手や足などの異物が挟まった場合、頭部床部材の重量に加えて伏臥動作に伴う荷重が前記異物にかかってしまっていた。しかしながら、本考案に係る起床式電動ベッドでは、前記アーム部材の一端が前記伸縮シリンダ部材の長孔内を摺動するので、前記伏臥動作が一時停滞し、頭部床部材の重量に加えて伏臥動作に伴う荷重が極めて軽減されるのである。
【００１５】
このような構成により、前記頭部床部材が伏臥動作を行う際に前記頭部床部材と前記ベッドフレーム基台との間に人間の手や足などの異物が挟まった場合であっても、怪我などのおそれのない安全な起床式電動ベッドを提供することが可能となった。
【００１６】
また、前記ベッドフレーム基台が折畳み可能とされているのが好ましい。前記ベッドフレーム基台を折畳み可能とすれば、頭部床部材と足部床部材とが分割されているので、折畳み起床式電動ベッドとなり、持ち運びに便利という利点がある。
【考案の効果】
【００１７】
本考案に係る起床式電動ベッドによれば、構造が簡単でありかつ頭部床部材が伏臥動作する際の安全性の高い起床式電動ベッドを提供することができるという著大な効果を有する。
【考案を実施するための最良の形態】
【００１８】
以下に本考案の一つの実施の形態を実施例に基づき添付図面を参照して説明する。
【００１９】
図１は本考案に係る起床式電動ベッドの一つの実施の形態を示す斜視図、図２は本考案に係る起床式電動ベッドの通常状態における頭部床部材の伏臥動作を示す概略図であって、（ａ）は頭部床部材が最も起きた状態、（ｂ）は伏臥動作にある頭部床部材が（ａ）の状態よりも下降した状態、（ｃ）は伏臥動作にある頭部床部材が（ｂ）の状態よりも下降した状態、（ｄ）は頭部床部材が伏臥した状態をそれぞれ示す。
【００２０】
図３は図２（ａ）の状態にある伸縮シリンダ部材を示す要部拡大図、図４は本考案に係る起床式電動ベッドの異常状態における頭部床部材の伏臥動作を示す概略図であって、（ａ）は頭部床部材が最も起きた状態、（ｂ）は伏臥動作にある頭部床部材が（ａ）の状態よりも下降して異物に当たっている状態、（ｃ）は（ｂ）の状態からさらに伸縮シリンダ部材が伸長している状態、（ｄ）は（ｃ）の状態からさらに伸縮シリンダ部材が伸長している状態をそれぞれ示す。
【００２１】
図５は図４（ｃ）の状態にある伸縮シリンダ部材を示す要部拡大図である。
【００２２】
図１〜図５において、符号１０は本考案に係る起床式電動ベッドを示す。起床式電動ベッド１０は、ベッドフレーム基台１２と、前記ベッドフレーム基台１２に取り付けられたモータ１４と、前記モータ１４の端部に取り付けられ、モータ１４の駆動によって伸縮自在に構成された伸縮シリンダ部材１６と、前記伸縮シリンダ部材１６には長孔１８が設けられており、前記長孔１８内に一端が回動可能かつ摺動可能に取り付けられたアーム部材２０と、前記ベッドフレーム基台１２に載置され、前記アーム部材２０の他端が裏面に取り付けられた頭部床部材２２と、前記頭部床部材２２と当接並置して前記ベッドフレーム基台１２に載置された足部床部材２４と、一端が前記伸縮シリンダ部材１６に取り付けられ、他端が前記足部床部材２４を介して前記頭部床部材２２に接続され、前記頭部床部材２２を起伏可能に牽引するためのワイヤー部材２６と、を含んでいる。
【００２３】
ここで、前記伸縮シリンダ部材１６は、前記モータ１４の端部に取り付けられた固定シリンダ部材２８と、前記固定シリンダ部材２８にスライド自在に挿入されたスライドシリンダ部材３０とから構成されており、前記スライドシリンダ部材３０に前記長孔１８が設けられている。そして、前記スライドシリンダ部材３０の先端にワイヤー部材２６が取り付けられている。
【００２４】
前記アーム部材２０には、係合ピン３２が取り付けられており、前記係合ピン３２が前記スライドシリンダ部材３０の長孔１８内に遊挿されることで、前記アーム部材２０が前記長孔１８内に一端が回動可能かつ摺動可能に取り付けられている。
【００２５】
符号３４はベッドフレーム基台１２の上端部に取り付けられた頭部フレーム部材、符号３６はベッドフレーム基台１２の下端部に取り付けられた足部フレーム部材である。頭部フレーム部材３４及び足部フレーム部材３６にはキャスター部材３８が取り付けられており、起床式電動ベッド１０が移動可能とされている。
【００２６】
また、符号４０はベッドフレーム基台１２の中央に設けられた中央部フレーム部材であり、ベッドフレーム基台１２の中央部を支えるものである。
【００２７】
ベッドフレーム基台１２は、折畳み可能なように２つに分割されており、上部ベッドフレーム基台１２ａ，下部ベッドフレーム基台１２ｂとから構成されている。そして、上部ベッドフレーム基台１２ａと下部ベッドフレーム基台１２ｂとが折畳み可能に結合部材４２によって結合されている。なお、符号１３は、上部ベッドフレーム基台１２ａと中央部フレーム部材４０、下部ベッドフレーム基台１２ｂと中央部フレーム部材４０とにそれぞれ接続されたスプリングであり、折畳みを容易とするためのものである。
【００２８】
このようにして、前記ベッドフレーム基台１２が折畳み可能に構成されており、また、頭部床部材２２と足部床部材２４とに分割されているので、起床式電動ベッド１０を折畳んで持ち運ぶことが可能となっている。
【００２９】
上述したように、ワイヤー部材２６の一端は前記伸縮シリンダ部材１６に取り付けられ、他端が前記足部床部材２４を介して前記頭部床部材２２に接続されている。そして、図２によく示されるように、前記伸縮シリンダ部材１６がモータ１４の駆動により縮退されると前記ワイヤー部材２６が前記頭部床部材２２を牽引して起立状態にせしめ、前記伸縮シリンダ部材１６がモータ１４の駆動により伸長されると前記頭部床部材２２を伏臥状態とするように構成されている。なお、起床式電動ベッド１０にはリモートコントローラが取り付けられており（図示省略）、このリモートコントローラの操作により、モータ１４が駆動する仕組みとなっている。リモートコントローラの操作によりモータ１４が駆動する仕組みについては従来の起床式電動ベッドと同様であるから説明は省略する。
【００３０】
図２の（ａ）は頭部床部材２２が最も起きた状態、（ｂ）は伏臥動作にある頭部床部材２２が（ａ）の状態よりも下降した状態、（ｃ）は伏臥動作にある頭部床部材２２が（ｂ）の状態よりも下降した状態、（ｄ）は頭部床部材２２が伏臥した状態である。
【００３１】
このとき、頭部床部材２２の起伏動作にあわせて足部床部材２４が図２のように屈曲する。このような構成は例えば特許文献１から知られており、また、前記足部床部材２４及び前記頭部床部材２２へのワイヤー部材２６の接続の仕方については、従来公知の方法を採用すればよく、例えば特許文献１に記載された接続の仕方を採用すればよい。したがって、前記足部床部材２４及び前記頭部床部材２２へのワイヤー部材２６の接続の仕方については省略する。
【００３２】
このようにして、前記伸縮シリンダ部材１６のスライドシリンダ部材３０がモータ１４の駆動により縮退されると前記ワイヤー部材２６が前記頭部床部材２２を牽引して起立状態にせしめ、前記伸縮シリンダ部材１６のスライドシリンダ部材３０がモータ１４の駆動により伸長されると前記頭部床部材２２を伏臥状態とするように構成されている。
【００３３】
頭部床部材２２とベッドフレーム基台１２との間に異物などが挟まっていない通常状態では、上述した図２に示される伏臥動作を行う。図３に、図２（ａ）で示した頭部床部材２２が最も起きた状態にある場合の長孔１８内におけるアーム部材２０に取り付けられた係合ピン３２の様子を示す。
【００３４】
また、図２に示される伏臥動作からもわかるように、通常状態では長孔１８の一端部に係合ピン３２が留まった状態で、頭部床部材２２の伏臥動作（又は起立動作）が行われる。したがって、通常状態では、従来の図６に示される伏臥動作とほとんど同様である。
【００３５】
次に、頭部床部材２２とベッドフレーム基台１２との間に異物などが挟まった場合の異常状態における頭部床部材２２の伏臥動作を説明する。
【００３６】
図４及び図５によく示されるごとく、頭部床部材２２とベッドフレーム基台１２との間に異物４４などが挟まった場合の異常状態では、図４（ａ）〜（ｄ）のような状態となる。図４の（ａ）は頭部床部材２２が最も起きた状態、（ｂ）は伏臥動作にある頭部床部材２２が（ａ）の状態よりも下降して異物４４に当たっている状態、（ｃ）は（ｂ）の状態からさらに伸縮シリンダ部材１６のスライドシリンダ部材３０が伸長している状態、（ｄ）は（ｃ）の状態からさらに伸縮シリンダ部材１６のスライドシリンダ部材３０が伸長している状態である。
【００３７】
前記頭部床部材２２が伏臥動作を行う際に前記頭部床部材２２と前記ベッドフレーム基台１２との間に異物４４が挟まった場合（図４（ｂ））、リモートコントローラを操作してモータ１４のスイッチを切らない限り、モータ１４の駆動は続くため、スライドシリンダ部材３０の伸長は続く。しかしながら、前記伸縮シリンダ部材１６のスライドシリンダ部材３０に長孔１８が設けられているため、前記アーム部材２０の一端に取り付けられた係合ピン３２が前記伸縮シリンダ部材１６のスライドシリンダ部材３０の長孔１８内を摺動する（図４（ｃ）〜（ｄ）、図５）。このため、図４（ｃ）〜（ｄ）に示されるごとく、前記伏臥動作が一時停滞する。したがって、頭部床部材２２の重量に加えて伏臥動作に伴う荷重がかかっていた従来の起床式電動ベッドに比べて、異物にかかる荷重が極めて軽減されるのである。
【００３８】
また、前記係合ピン３２が前記伸縮シリンダ部材１６のスライドシリンダ部材３０の長孔１８内を摺動するにあたって（図４（ｃ）〜（ｄ）、図５）、前記係合ピン３２が長孔１８内を摺動しきってしまい、それ以上長孔１８内を摺動できなくなった場合には、モータ１４が過負荷を検知してモータ１４のスイッチが切れるように構成されている。このように、前記係合ピン３２が長孔１８内を摺動しきってしまい、それ以上長孔１８内を摺動できなくなった場合には、モータ１４が過負荷を検知してモータ１４のスイッチが切れるように構成するのが好ましい。
【００３９】
このようにして、本考案に係る起床式電動ベッド１０は、構造が簡単でありかつ頭部床部材２２が伏臥動作する際の安全性の高い起床式電動ベッドである。
【図面の簡単な説明】
【００４０】
【図１】本考案に係る起床式電動ベッドの一つの実施の形態を示す斜視図である。
【図２】本考案に係る起床式電動ベッドの通常状態における頭部床部材の伏臥動作を示す概略図であって、（ａ）は頭部床部材が最も起きた状態、（ｂ）は伏臥動作にある頭部床部材が（ａ）の状態よりも下降した状態、（ｃ）は伏臥動作にある頭部床部材が（ｂ）の状態よりも下降した状態、（ｄ）は頭部床部材が伏臥した状態をそれぞれ示す。
【図３】図２（ａ）の状態にある伸縮シリンダ部材を示す要部拡大図である。
【図４】本考案に係る起床式電動ベッドの異常状態における頭部床部材の伏臥動作を示す概略図であって、（ａ）は頭部床部材が最も起きた状態、（ｂ）は伏臥動作にある頭部床部材が（ａ）の状態よりも下降して異物に当たっている状態、（ｃ）は（ｂ）の状態からさらに伸縮シリンダ部材が伸長している状態、（ｄ）は（ｃ）の状態からさらに伸縮シリンダ部材が伸長している状態をそれぞれ示す。
【図５】図４（ｃ）の状態にある伸縮シリンダ部材を示す要部拡大図である。
【図６】従来の起床式電動ベッドの頭部床部材の伏臥動作の概略説明図であって、（ａ）は頭部床部材１２２が最も起きた状態、（ｂ）は伏臥動作にある頭部床部材１２２が（ａ）の状態よりも下降した状態、（ｃ）は伏臥動作にある頭部床部材１２２が（ｂ）の状態よりも下降した状態、（ｄ）は頭部床部材１２２が伏臥した状態をそれぞれ示す。
【符号の説明】
【００４１】
１０：起床式電動ベッド、１２，１１２：ベッドフレーム基台、１２ａ：上部ベッドフレーム基台、１２ｂ：下部ベッドフレーム基台、１３：スプリング、１４，１１４：モータ、１６，１１６：伸縮シリンダ部材、１８：長孔、２０，１２０：アーム部材、２２，１２２：頭部床部材、２４，１２４：足部床部材、２６，１２６：ワイヤー部材、２８，１２８：固定シリンダ部材、３０，１３０：スライドシリンダ部材、３２，１３２：係合ピン、３４：頭部フレーム部材、３６：足部フレーム部材、３８：キャスター部材、４０：中央部フレーム部材、４２：結合部材、４４：異物、１１０：従来の起床式電動ベッド。
【図１】
0003142758.tif 000003
【図２】
0003142758.tif 000004
【図３】
0003142758.tif 000005
【図４】
0003142758.tif 000006
【図５】
0003142758.tif 000007
【図６】
0003142758.tif 000008